(57)【要約】【課題】水処理対象水系の障害を防止する為の水処理剤を、簡易な制御の下で適量に投入することのできる稼働コストおよび設備コストの低廉な薬注装置を提供する。【解決手段】水処理対象水系内のおける処理対象水の状態を検出する温度センサ１５および／または前記処理対象水の汚れを検出するスライムセンサ１７、水処理対象水系内に水処理薬剤を投入する２台の薬注ポンプ１１，１２とを備え、薬注制御装置（ＣＰＵ）２１においては、一方の薬注ポンプを水処理設備のインターロックに連動させて作動させて必要最小限の量の水処理薬剤を投入し、前記センサの出力に応じて決定される時間に亘って他方の薬注ポンプを選択的に作動させて、水処理に必要な水処理薬剤の不足分を投入する。【選択図】図１
2006212632.tif 000002
【特許請求の範囲】
【請求項１】
水処理設備により駆動される水処理対象水系内に、該水処理対象水系の障害を防止する為の水処理薬剤を投入する薬注装置であって、
前記水処理対象水系内における処理対象水の状態を検出するセンサと、
前記水処理対象水系内に水処理薬剤を投入する２台の薬注ポンプと、
前記一方の薬注ポンプを前記水処理設備のインターロックに連動させて作動させると共に、他方の薬注ポンプを前記センサにより検出される状態信号に応じて選択的に作動させる薬注制御装置と
を具備し、
前記センサは、前記水処理対象水系内における処理対象水の温度を検出する温度センサおよび／または前記処理対象水の汚れを検出するスライムセンサからなることを特徴とする薬注装置。
【請求項２】
前記薬注制御装置は、前記水処理設備のインターロックに連動させて作動させる一方の薬注ポンプを主制御ポンプとして、前記水処理対象水系の障害を防止する為の最小限必要な量の水処理薬剤を投入し、
他方の薬注ポンプを従制御ポンプとして、前記センサにより検出される状態信号に応じてその作動時間を決定して選択的に作動させて、前記水処理対象水系の障害を防止する為に必要な前記水処理薬剤の不足分を投入することを特徴とする請求項１に記載の薬注装置。
【請求項３】
前記薬注制御装置は、前記２台の薬注ポンプに対する主制御と従制御とを入れ替える機能を備えることを特徴とする請求項２に記載の薬注装置。
【請求項４】
前記薬注制御装置は、前記各薬注ポンプの動作を監視する検知手段と、この検知手段の出力に基づいて前記各薬注ポンプの異常を判定して該薬注ポンプに対する制御の態様を変更する手段とを備えることを特徴とする請求項１〜３のいずれかに記載の薬注装置。
【請求項５】
前記各薬注ポンプは、それぞれ独立した薬液貯留部を備えることを特徴とする請求項１〜４のいずれかに記載の薬注装置。
【発明の詳細な説明】
【技術分野】
【０００１】
本発明は、例えばボイラ系や冷却水系をなす水処理対象水系内に、その水系の障害を防止する為の清缶剤やスライムコントロール剤等の水処理薬剤を投入するに好適な薬注装置に関する。
【背景技術】
【０００２】
ボイラや冷却塔等の熱交換器を備えた水処理対象水系においては、例えば処理対象水に含まれる酸素（溶存酸素）によって、その水系を形成している鋼材に腐食が生じたり、また菌体や藻類による汚れによって水系が持つ機能が損なわれる虞がある。これ故、従来からその水系内に脱酸素剤やスケール分散剤等からなる清缶剤や、スライムコントロール剤等の水処理薬剤を投入（薬注）することが行われている。
【０００３】
ちなみに溶存酸素量は、処理対象水の温度が低くなるに従って多くなる。この為、低温度の処理対象水がボイラに供給されると、処理対象水に含まれて持ち込まれた多量の酸素によって、その水系（ボイラ）の腐食が進むことになる。
そこで従来一般的には、例えば供給水の温度に応じて該供給水中に脱酸素剤を投入し、ボイラ水系の脱酸素を行っている。具体的には供給水の平均的な温度から該供給水中の溶存酸素を除去するに必要な脱酸素剤の量を推定し、推定された一定量の脱酸素剤を薬注するようにしている。或いは供給水の温度が大きく低下した場合でも、その状態において必要な脱酸素剤を確保し得るように安全サイドでその薬注量を設定している。
【発明の開示】
【発明が解決しようとする課題】
【０００４】
しかしながら供給水の平均温度に応じて設定した量の脱酸素剤をその水処理対象水系に薬注するように構成した薬注装置においては、供給水（処理対象水）の温度変化によって脱酸素剤の過不足が生じることが否めない。また供給水の温度低下を見込んで安全サイドで薬注量を設定すると、通常の温度状態において脱酸素剤が過剰に投入されることになる上、その脱酸素剤（水処理薬剤）の消費量が相当多くなり、水処理対象水系の稼働コストが高くなることが否めない。
【０００５】
そこで供給水の温度を監視し、脱酸素剤の薬注量をフィードバック制御しながら調整することも行われている。しかしこの場合の多くは１台の薬注ポンプを使用するため、薬注ポンプとしてその薬注量を適応制御可能な制御性の良いポンプを用いることが必要となり、この種のポンプが比較的高価なこと、更にはそのフィードバック制御が複雑なことと相俟って装置の設備コストが高くなることが否めない。尚、このような問題は、スライムコントロール剤を薬注する場合にも同様に発生する。
【０００６】
本発明はこのような事情を考慮してなされたもので、その目的は、水処理対象水系の障害を防止する為の清缶剤やスライムコントロール剤等の水処理薬剤を、簡易な制御の下で適量投入することができ、しかも稼働コストおよび設備コストの低廉化を図ることのできる簡易な構成の実用性に優れた薬注装置を提供することにある。
【課題を解決するための手段】
【０００７】
上述した目的を達成するべく本発明は、水処理設備により駆動される水処理対象水系内に、該水処理対象水系の障害を防止する為の水処理薬剤を投入する薬注装置に係り、
特に前記水処理対象水系内における処理対象水の状態を検出するセンサと、前記水処理対象水系内に水処理薬剤を投入する２台の薬注ポンプと、前記一方の薬注ポンプを前記水処理設備のインターロックに連動させて作動させると共に、他方の薬注ポンプを前記センサにより検出される状態信号に応じて選択的に作動させる薬注制御装置とを具備し、
前記センサは、前記水処理対象水系内における処理対象水の温度を検出する温度センサおよび／または前記処理対象水の汚れを検出するスライムセンサから構成したことを特徴としている。
【０００８】
また請求項２に記載するように前記薬注制御装置は、前記水処理設備のインターロックに連動させて作動させる一方の薬注ポンプを主制御ポンプとして機能させて、前記水処理対象水系の障害を防止する為の最小限必要な量の水処理薬剤を連続して投入させ、
他方の薬注ポンプを従制御ポンプとして機能させて、前記センサにより検出される状態信号に応じてその作動時間を決定して選択的に作動させ、前記水処理対象水系の障害を防止する為に必要な前記水処理薬剤の不足分を投入することを特徴としている。
【０００９】
即ち、本発明に係る薬注装置は、主制御ポンプおよび従制御ポンプとしてそれぞれ機能させる２台の薬注ポンプを備える。そして一方の薬注ポンプを水処理設備のインターロックに連動させて作動させることで、水処理対象水系の障害を防止する為の最小限必要な一定量の水処理薬液を定常的に投入する主制御ポンプとして機能させ、他方の薬注ポンプをセンサにより検出される処理対象水の状態に応じてその作動時間を決定して選択的に作動させることで、前記主制御ポンプから投入される一定量の水処理薬液だけでは不足する分の水処理薬液を投入する従制御ポンプとして機能させることを特徴としている。
【００１０】
また本発明の好ましい態様は、請求項３に記載するように前記薬注制御装置を、前記２台の薬注ポンプに対する主制御と従制御とを入れ替える機能を備えたものとし、例えば外部からの制御指令に応じて、或いは処理対象水の状態に応じて主と従の関係を切り替えることを特徴としている。
更に請求項４に記載するように前記薬注制御装置を、前記各薬注ポンプの動作を監視する検知手段と、この検知手段の出力に基づいて前記各薬注ポンプの異常を判定して該薬注ポンプに対する制御の態様を変更する手段とを備えたものとして、一方の薬注ポンプの異常が検出されたとき、他方の薬注ポンプに薬注処理の全てを委ねることを特徴としている。
【００１１】
更には請求項５に記載するように前記各薬注ポンプに、それぞれ独立した薬液貯留部を設け、これらの各薬注ポンプから互いに異なる水処理薬剤を薬注し得るように構成することを特徴としている。この場合にも、主と従との関係を入れ替えることで、主として水処理水系に投入する水処理薬剤の種類を変更するようにしてもよい。
【発明の効果】
【００１２】
以上説明したように本発明によれば、水処理対象水系内における処理対象水の状態、例えば供給温度をセンサにより検出し、２台の薬注ポンプの一方を水処理設備のインターロックに連動させて作動させると共に、他方の薬注ポンプを前記センサにより検出される状態信号に応じて選択的に作動させるので、一方の薬注ポンプを主制御ポンプとして水処理対象水系の障害を防止する為の最小限必要な量の水処理薬剤を投入させながら、他方の薬注ポンプを従制御ポンプとして選択的に駆動して前記水処理対象水系の障害を防止する為に必要な水処理薬剤の不足分だけを投入していくことが可能となる。しかも薬注ポンプを、その作動時間を決定しながらオン／オフ駆動すると言う簡単な制御だけで、必要量の水処理剤を水処理対象水系に投入することができる。
【００１３】
この結果、水処理薬剤の使用量を最小限に抑えながら、水処理対象水系の障害を効果的に防止することができ、運転コストのみならず設備コストの低減を図りうる等の実用上多大なる効果が奏せられる。
また２台の薬注ポンプに対する主制御と従制御とを入れ替える機能を備えることで、薬注ポンプの故障や水処理薬剤の種別変更等に効果的に対処し得る等の効果も奏せられる。
【発明を実施するための最良の形態】
【００１４】
以下、図面を参照して本発明の一実施形態に係る水処理対象水系の薬注装置について説明する。
図１は水処理対象水系１に組み込まれる薬注装置１０の概略構成を示す図である。水処理対象水系１は、例えばボイラや冷却塔からなる熱交換器２を備え、該熱交換器２に供給された処理水を熱交換して送り出すように構成される。ちなみに熱交換器２がボイラである場合には、供給水を蒸気化して吐出する如く構成され、また熱交換器２が冷却塔からなる場合には、蓄熱高温化されて供給される処理水を除熱して還流する如く構成される。
【００１５】
尚、熱交換器２への処理水の供給は、例えば給水タンク３に貯留された処理水を給水ポンプ４を介して行われる。また給水ポンプ４の駆動は、水処理系の制御盤６による制御の下で行われる。一般的には制御盤６は、給水ポンプ４のオン／オフを制御するインターロック信号を出力して給水ポンプ４を駆動し、一定水量の処理水を供給する。
さてこのような水処理対象水系１に、その水系１の障害を防止する為の水処理薬剤を投入する為の本発明の実施形態に係る薬注装置１０は、２台の薬注ポンプ（Ｐ1,Ｐ2）１１,１２を備えている。これらの第１および第２の薬注ポンプ１１,１２は、後述するように薬注制御装置の制御の下で駆動され、薬液貯留部１３に貯留されている脱酸素剤やスケール分散剤等からなる清缶剤、或いはスライムコントロール剤等の水処理薬剤を前記水処理対象水系１の熱交換器２に供給水を導く水系（供給路）に投入する役割を担う。
【００１６】
尚、薬液貯留部１３は、いわゆる１タンク型の場合には、例えば予め選定された種別の水処理剤や、或いは予め設定された割合で複数種の処理剤を混合してなる水処理剤を貯留し、これを第１および第２の薬注ポンプ１１,１２にそれぞれ供給するように構成される。また薬液貯留部１３が、前記第１および第２の薬注ポンプ１１,１２にそれぞれ対応した互いに独立した貯留部１３ａ,１３ｂを有する、いわゆる２タンク型の場合には、これらの各貯留部１３ａ,１３ｂに互いに異なる種別の水処理剤をそれぞれ貯留するようにしても良い。
【００１７】
一方、上記第１および第２の薬注ポンプ１１,１２の作動を制御する薬注制御装置は、所定の制御プログラムに従って動作するＣＰＵ２１およびインターバル調整回路２２を主体として構成される。ＣＰＵ２１は、制御コマンド等を入力する為のキーボード２３を備えると共に、通信回線を介して図示しないホストコンピュータとの間でデータ通信を実行する通信端末２４、更には各種のセンサを介して前記水処理対象水系１における処理水の状態を検出するセンシング部２５を備えている。このセンシング部２５は、例えば前記給水ポンプ４からの処理水の吐出配管に装着されて該処理水の温度を計測する温度センサ１５の出力（温度情報）や、前記熱交換器２内に設けられて処理水から生じたスケールを検出するスケールセンサ１６の出力（スケール量）、更には菌体や藻類による処理水の汚れを計測するスライムセンサ１７の出力（スライム量）等を収集する。そしてセンシング部２５は、例えばこれらの検出情報を前記ＣＰＵ２１の下で設定された設定値（制御目標値／水質管理値）２６と比較し、その偏差を求める等の所定の前処理を実行する。
【００１８】
さてＣＰＵ２１は、キーボード２３や通信端末２４を介して指示入力される制御指令値や上記センシング部２５を介して求められるセンシング情報等に従ってインターバル調整回路２２の作動を制御し、該インターバル調整回路２２の管理の下で前記第１および第２の薬注ポンプ１１,１２をそれぞれ駆動する。特にＣＰＵ２１はセンシング情報等に従って前記インターバル調整回路２２の動作モードを選択的に設定しており、インターバル調整回路２２は設定された動作モードの下で、前記センシング情報に従って前記第１および第２の薬注ポンプ１１,１２の作動時間をそれぞれ決定しながら、各薬注ポンプ１１,１２をそれぞれ駆動するものとなっている。
【００１９】
ちなみにインターバル調整回路２２は前記制御盤６からインターロック信号が入力された場合にだけ、つまり給水ポンプ４が駆動されて水処理対象水系１が作動している場合にのみ作動する。そしてインターバル調整回路２２は、例えば通常動作モードが設定されている場合には、前記制御盤６から得られるインターロック信号に連動させて第１の薬注ポンプ１１を駆動する信号を発すると共に、温度センサ１５等から得られるセンシング信号に応じて前記第２の薬注ポンプ１２を選択的に駆動する信号を発生する。これらの駆動信号は、後述するように変換回路２７を介して薬注ポンプ１１,１２にそれぞれ加えられる。
【００２０】
具体的には、説明の簡略化の為に処理水の温度に応じてその水系１に脱酸素剤を投入する例について説明すると、インターバル調整回路２２は、通常動作モードにおいては、第１の薬注ポンプ１１を主制御ポンプとし、第２の薬注ポンプ１２を従制御ポンプとしてそれぞれ駆動する。そして第１の薬注ポンプ１１を、処理対象水系１のインターロックに連動させ、ＣＰＵ２１の管理の下で設定された連動割合（０〜１００％）に応じたデューティ比で駆動する。即ち、処理水の温度がある程度低い場合には、その温度に応じて連動割合を１００％として第１の薬注ポンプ１１を連続（デューティ比；１００％）して駆動して、水処理対象水系１の障害を防止する為の最小限必要な量の脱酸素剤（水処理薬剤）を投入させる。尚、処理水の温度が高く、上述した連動割合では脱酸素剤の投入量が過剰となることが明らかなような場合には、例えばその連動割合を５０％として第１の薬注ポンプ１１を１時間当たり３０分ずつ駆動する（デューティ比；５０％）等して、水処理対象水系１の障害を防止する為の最小限必要な量の脱酸素剤（水処理薬剤）を投入させる。
【００２１】
一方このとき、インターバル調整回路２２は第２の薬注ポンプ１２を温度センサ１５からのセンシング出力に従って選択的に駆動する。例えば上述した如く水系１のインターロックに連動させて第１の薬注ポンプ１１を駆動する上での処理水の管理温度（設定値２６）と、温度センサ１５により検出される処理水の温度との差（偏差）に従い、第２の薬注ポンプ１２の単位時間当たりの駆動時間を決定する。この第２の薬注ポンプ１２の駆動時間は、前述したように第１の薬注ポンプ１１から水系１に投入される必要最小限の脱酸素剤の量では不足する分を補うべく第２の薬注ポンプ１２から投入する脱酸素剤の量を決定するものであり、処理水の温度、つまり前述した管理温度との偏差に応じて設定される。そしてこのようにして決定された駆動時間に亘って第２の薬注ポンプ１２が駆動されて、水処理対象水系１に脱酸素剤（水処理薬剤）が追加投入される。
【００２２】
かくしてこのようにして第１および第２の薬注ポンプ１１,１２をそれぞれ駆動して処理水の温度に応じて脱酸素剤（水処理薬剤）を水処理対象水系１に投入（薬注）するように構成された薬注装置によれば、例えば図２(ａ)に処理水の温度（給水温度）Ｔに応じて理論上求められる脱酸素剤（水処理薬剤）の必要量Ｍに対して、実際に投入される脱酸素剤（水処理薬剤）の薬注量Ａを示すように、給水温度Ｔの変化に追従して脱酸素剤（水処理薬剤）を殆ど過不足なく投入することが可能となる。尚、図中Ｘは第１の薬注ポンプ１１から定常的に投入される必要最小限の脱酸素剤の量を示しており、Ｙは給水温度に応じて選択的に駆動される第２の薬注ポンプ１２から投入される脱酸素剤の量を示している。
【００２３】
ちなみに処理水の平均温度に応じて定まる一定量の脱酸素剤を連続して投入した場合には、その薬注量は図２(ｂ)の特性Ｂに示すようになり、処理水の温度（給水温度）Ｔに応じた脱酸素剤（水処理薬剤）の必要量Ｍに対して大幅な過不足が生じることが否めない。また安全サイドで処理水の温度を低く見込んで脱酸素剤の投入量を設定した場合には、その薬注量は図２(ｃ)の特性Ｃに示すようになり、長期間に亘って脱酸素剤が過剰に投入されることになる。
【００２４】
これらの従来一般的な制御の下で投入される脱酸素剤の薬注量（特性Ｂ,Ｃ）と対比すれば明確なように、本発明に係る薬注装置によれば、第１の薬注ポンプ１１をインターロックに連動させて定常的に駆動し、必要最小限の量の脱酸素剤を投入しながら、処理水の温度Ｔに応じて第２の薬注ポンプ１２を選択的に駆動して脱酸素剤をその不足分だけ投入するので、処理水の温度Ｔの変化に追従させて水処理対象水系１に必要な量の脱酸素剤を適正に投入していくことが可能となる。
【００２５】
しかも第１の薬注ポンプ１１をインターロックに連動させて作動させ、また第２の薬注ポンプ１２を処理水の温度変化に応じて決定される時間に亘って選択的に作動させるだけでよいので、その制御が非常に簡単である。特に薬注ポンプ１１,１２をアナログ的に制御して脱酸素剤の投入量を調整するものと異なり、前述したデューティ比や作動時間に応じて薬注ポンプ１１,１２をオン／オフ制御して脱酸素剤の単位時間当たりの投入量を調整するだけなので、吐出量調整機能を備えていない安価なポンプを有効に活用して薬注量を調整することができる。この結果、制御系の簡素化を図ることのみならず、脱酸素剤の使用量を抑えてその運転コストを下げることができ、また装置の設備コストの低廉化を図ることも可能となる等の効果が奏せられる。
【００２６】
尚、ボイラの水処理においては、その処理水の給水温度は略３０〜９０℃の範囲で変動することに鑑み、その平均温度５５℃をベースとして脱酸素剤を連続して注入したところ（図２(ｂ)の例）、給水温度が低いときに薬剤不足となり、ボイラを構成する鋼の腐食速度がその缶内で５０.１[ｍｄｄ]、蒸気中で１４９.４[ｍｄｄ]、また銅の腐食速度が９.５[ｍｄｄ]と高く、実用に適さないことが確認された。また安全サイドで処理水の給水温度が３０℃となったときに必要な量の脱酸素剤を連続して投入したところ（図２(ｃ)の例）、腐食速度がその缶内で１０.１[ｍｄｄ]、蒸気中で２７.４[ｍｄｄ]、また銅の腐食速度が２.５[ｍｄｄ]と十分に低く抑え得ることが確認された。しかし脱酸素剤の使用量が約１.５倍に膨れあがり、その処理コスト（運転コスト）が高騰化した。
【００２７】
これに対して本発明の薬注装置にて、５５℃において最小限必要となる脱酸素剤を第１の薬注ポンプ１１から投入しながら、処理水の温度が５５℃を下回ったとき、これに応じて第２の薬注ポンプ１２を作動させて脱酸素剤の不足分を投入したところ（図２(ａ)の例）、図２(ｂ)に示す例に比較して脱酸素剤の使用量が１.２倍程度に増えたものの、その腐食速度が図２(ｃ)に示す例と殆ど変わらないことが確認された。このような実験結果からも明らかなように、本発明に係る薬注装置によれば、脱酸素剤の使用量を必要最小限に抑えながら、水系１の腐食を効果的に抑え得ることが確認できた。
【００２８】
ところで上述した説明は、通常動作モードを設定して第１の薬注ポンプ１１をインターロックに連動させて作動させる主制御ポンプとし、第２の薬注ポンプ１２を処理水の供給温度の変化に応じて決定される時間幅で選択的に作動させる従制御ポンプとした場合の例であるが、次のようにその動作モードを変更することも可能である。
即ち、図１に示すように第１および第２の薬注ポンプ１１,１２の各駆動系には、該ポンプ１１,１２の動作状態を確認するためのセンサとしての電圧計３１ａ,３１ｂ、および電流計３２ａ,３２ｂが設けられている。また第１および第２の薬注ポンプ１１,１２の各吐出配管には流量計３３ａ,３３ｂが設けられている。ＣＰＵ２１は、これらの電圧計３１ａ,３１ｂ、電流計３２ａ,３２ｂ、および流量計３３ａ,３３ｂの各出力を監視し、第１および第２の薬注ポンプ１１,１２がそれぞれ正常に作動しているか否かをモニタしている。
【００２９】
具体的には第１および第２の薬注ポンプ１１,１２の駆動時に、該薬注ポンプ１１,１２に所定の駆動電圧が加わっていることが電圧計３１ａ,３１ｂにより確認されるにも拘わらず、電流計３２ａ,３２ｂにてその駆動電流が検出されないとき、薬注ポンプ１１,１２の駆動系に断線等の事故が発生しており、薬注ポンプ１１,１２が作動していないことを自己診断している。また電流計３２ａ,３２ｂにてその駆動電流が検出されているにも拘わらず、流量計３３ａ,３３ｂにて脱酸素剤の吐出が検出されないとき、薬注ポンプ１１,１２の弁系に障害があり、薬注ポンプ１１,１２による吐出が正常に行われていないとして自己診断している。
【００３０】
このような自己診断により薬注ポンプ１１,１２の故障が検出されると、ＣＰＵ２２は前記インターバル調整回路２２の動作モードを故障対策モードに変更し、同時に変換回路２７を作動させて故障した薬注ポンプ１１,１２を、その制御対象から切り離す。そして正常に機能としている薬注ポンプ１１,１２だけを連続して作動させ、少なくとも最小限必要な量の脱酸素剤を投入し続けながら、他方の故障した薬注ポンプ１１,１２を修理に供するものとなっている。このような故障対策モードによれば、薬注ポンプ１１,１２の偶発的な故障に際しても、水処理対象水系１自体を停止させることなく、連続して運転することが可能となるので、薬注ポンプ１１,１２の故障による被害を最小限に止めることが可能となる。
【００３１】
またＣＰＵ２１は、例えば主制御ポンプとして作動させる薬注ポンプ１１の連続作動時間を監視する等して、或いは外部から通信端末２４等を介して与えられる切り替え指令により変換回路２７を切り替えることで、主制御ポンプと従制御ポンプとを入れ替える機能を備える。このような入れ替え機能によれば、例えば薬注ポンプ１１,１２の連続運転による耐性の劣化を最小限に抑えることが可能となる。
【００３２】
またこのような主制御ポンプと従制御ポンプとの入れ替え機能は、前述した脱酸素剤に代えてスライムコントロール剤を水系１に投入するような場合にも有効である。即ち、処理水中に発生する菌体や藻類は、或る種のスライムコントロール剤を用いることによりその発生を抑えることができるが、次第に抵抗力を付けてくると言う性質を有する。この場合には、別の種類のスライムコントロール剤を用いることで菌体や藻類の発生を抑えることが可能となる。そこでこのような場合には、前述したように第１および第２の薬注ポンプ１１,１２がそれぞれ独立した貯留部１３ａ,１３ｂを備えた２タンク式の薬液貯留部１３を用い、各貯留部１３ａ,１３ｂに互いに異なる性質を有するスライムコントロール剤をそれぞれ貯留するようにする。
【００３３】
スライムセンサ１７により検出されるスライム量が増加したとき、また薬液貯留部１３の貯留部１３ａ,１３ｂにそれぞれ設けられた液面センサ３４ａ,３４ｂによりスライムコントロール剤の残量不足が検出されたとき等、前述した変換回路２７を作動させて主制御ポンプとして作動させる薬注ポンプ１１,１２を入れ替えて、その水系１に主として投入するスライムコントロール剤の種別を変更するようにすれば良い。このような制御は、熱交換器２が冷却塔により構成される冷却水系の場合に特に好適である。
【００３４】
尚、本発明は上述した実施形態に限定されるものではない。例えば水処理薬剤は、水処理対象水系１にて処理される処理水の性質に応じたものを１種、または複数種を組み合わせて用いれば良い。また通信端末２４を介して水処理対象水系１の作動状態を監視しながら、ＣＰＵ２１の作動、ひいては第１および第２の薬注ポンプ１１,１２の作動を遠隔制御することも勿論可能である。更には薬注量の設定等をキーボード２３を介してマニュアル設定することも勿論可能であり、処理水の供給温度等に応じた従制御ポンプの作動時間の設定の手法も種々の演算方式を採用可能である。
【００３５】
例えば温度差に応じた作動時間をテーブル化して登録しておき、これに基づいて従制御ポンプの作動を制御するようにしても良い。また主制御ポンプから実際に投入されている水処理薬剤の量と、処理水の温度から求められる水処理薬剤の必要量との差から従制御ポンプの作動時間を決定するようにしても良い。更には従制御ポンプの作動時間を決定する上での単位時間についても、水処理対象水系１の仕様に応じて設定すれば良く、例えば１５分単位、３０分単位、１時間単位等として定めれば十分である。
【００３６】
また薬注装置を備えた既存の水処理対象水系に本発明に係る薬注装置を付加し、既に備えられている薬注ポンプと併用して水処理薬剤をそれぞれ投入するように構成することで、更に多様な薬注制御形態をとることも可能である。その他、本発明はその要旨を逸脱しない範囲で種々変形して実施することができる。
【図面の簡単な説明】
【００３７】
【図１】本発明の一実施形態に係る薬注装置の概略構成図。
【図２】本発明に係る薬注制御の形態および水処理薬剤の使用量を、従来一般的な薬注制御形態および水処理薬剤の使用量と対比して示す図。
【符号の説明】
【００３８】
１  水処理対象水系
２  熱交換器（ボイラ／冷却塔）
３  給水タンク
４  給水ポンプ
１１  第１の薬注ポンプ
１２  第２の薬注ポンプ
１３  薬液貯留部
１５  温度センサ
１６  スケールセンサ
１７  スライムセンサ
２１  ＣＰＵ
２２  インターバル制御回路
２４  通信端末
２５  センシング部
２６  設定値
２７  変換回路
【図１】
2006212632.tif 000003
【図２】
2006212632.tif 000004